Podtech/llm-jp-corpus-v4-ja_patent huggingface dataset:
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
データ通信システムにおける符号化方法であって、
複数の生成モードのうち一つの選択モードによって、複数のソースペイロードを含むソースブロックを複数のシンボルペイロードを含むシンボルブロックに変換するステップと、
指定された符号化方式により前記シンボルブロックを符号化して少なくとも一つのパケットを生成するステップと、
前記少なくとも一つのパケットを受信器に伝送するステップと、
前記シンボルブロックの生成に適用された生成モードを指示する情報を含むシグナリングメッセージを前記受信器に伝送するステップと、
を有することを特徴とする方法。
【請求項２】
前記複数の生成モードは、
前記ソースブロックが同一サイズの前記複数のソースペイロードで構成される場合に前記複数のソースペイロードと同一に前記複数のシンボルペイロードを生成する第１の生成モード、
前記ソースブロックが可変サイズの前記複数のソースペイロードで構成される場合、前記複数のシンボルペイロードが同一のサイズを有するようにするために、前記複数のソースペイロードのうち少なくとも一つにパディングデータを付加して前記複数のシンボルペイロードを生成する第２の生成モード、及び
前記ソースブロックが可変サイズの前記複数のソースペイロードで構成される場合、複数のサブブロックに前記ソースブロックを分割し、各サブブロックに該当ソースペイロードを直列化する第３のモードのうち少なくとも一つを含むことを特徴とする請求項１に記載の方法。
【請求項３】
前記第３のモードは
前記直列化したソースペイロードの各Ｓバイトを一つのシンボルペイロードとして構成し、前記直列化したソースペイロードの残りにパディングデータを付加することにより該当サブブロックの最後シンボルペイロードを構成することを特徴とする請求項２に記載の方法。
【請求項４】
前記複数のソースペイロードの長さフィールドを含む長さソースブロックを符号化してペイロード長に対するパリティブロックを生成するステップと、
前記ペイロード長に対する前記パリティブロックを前記受信器に伝送するステップと、
をさらに有することを特徴とする請求項１に記載の方法。
【請求項５】
前記ペイロード長に対するパリティブロックは、
奇数の長さフィールドを含む奇数のソースブロックを符号化して生成される奇数のパリティブロックと、偶数の長さフィールドを含む偶数のソースブロックを符号化して生成される偶数のパリティブロックとを含み、
前記奇数のソースブロックと前記偶数のソースブロックは、前記シンボルブロックの符号化に使用されることと同一の符号化方式で符号化されることを特徴とする請求項４に記載の方法。
【請求項６】
前記少なくとも一つのパケットは、所定のパケットフォーマットにより生成され、各パケットは一つのソースペイロードのペイロード長に対する情報を有するヘッダーを含むことを特徴とする請求項１に記載の方法。
【請求項７】
前記情報は、前記少なくとも一つのパケットと区別される制御シグナリングを使用して伝送されることを特徴とする請求項１に記載の方法。
【請求項８】
データ通信システムにおける符号化装置であって、
複数の生成モードのうち一つの選択モードに従って複数のソースペイロードで構成されたソースブロックを複数のシンボルペイロードを含むシンボルブロックに変換するコンバータと、
指定された符号化方式によって前記シンボルブロックを符号化して少なくとも一つのパケットを生成するエンコーダと、
前記少なくとも一つのパケットを受信器に伝送し、前記シンボルブロックの生成に適用された生成モードを指示する情報を含むシグナリングメッセージを前記受信器に伝送する送信器と、
を含むことを特徴とする符号化装置。
【請求項９】
前記複数の生成モードは、
前記ソースブロックが同一サイズの前記複数のソースペイロードで構成される場合に前記複数のソースペイロードと同一に前記複数のシンボルペイロードを生成する第１の生成モード、
前記ソースブロックが可変サイズの前記複数のソースペイロードで構成される場合、前記複数のシンボルペイロードが同一のサイズを有するようにするために、前記複数のソースペイロードのうち少なくとも一つにパディングデータを付加して前記複数のシンボルペイロードを生成する第２の生成モード、及び
前記ソースブロックが可変サイズの前記複数のソースペイロードで構成される場合、複数のサブブロックに前記ソースブロックを分割し、各サブブロックに該当ソースペイロードを直列化する第３のモードのうち少なくとも一つを含むことを特徴とする請求項８に記載の符号化装置。
【請求項１０】
前記第３のモードは
前記直列化したソースペイロードの各Ｓバイトを一つのシンボルペイロードとして構成し、前記直列化したソースペイロードの残りにパディングデータを付加することにより該当サブブロックの最後シンボルペイロードを構成することを特徴とする請求項９に記載の符号化装置。
【請求項１１】
前記エンコーダは、前記複数のソースペイロードの長さフィールドを含む長さソースブロックを符号化してペイロード長に対するパリティブロックを生成し、
前記送信器は、前記ペイロード長に対するパリティブロックを前記受信器に伝送することを特徴とする請求項９に記載の符号化装置。
【請求項１２】
前記ペイロード長に対するパリティブロックは、
奇数の長さフィールドを含む奇数のソースブロックを符号化して生成される奇数のパリティブロックと、偶数の長さフィールドを含む偶数のソースブロックを符号化して生成される偶数のパリティブロックとを含み、
前記奇数のソースブロックと前記偶数のソースブロックは、前記シンボルブロックの符号化に使用されることと同一の符号化方式で符号化されることを特徴とする請求項１１に記載の符号化装置。
【請求項１３】
前記少なくとも一つのパケットは、所定のパケットフォーマットにより生成され、各パケットは一つのソースペイロードのペイロード長に対する情報を有するヘッダーを含むことを特徴とする請求項９に記載の符号化装置。
【請求項１４】
前記情報は、前記少なくとも一つのパケットと区別される制御シグナリングを使用して伝送されることを特徴とする請求項９に記載の符号化装置。
【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
アクティブピクセル画像センサであって、
Ｎ個の出力ライン上においてアドレス指定されたピクセルからピクセル読出し信号を供給するべく、ランダムアクセスアドレス指定される能力を有するアクティブピクセルのピクセルアレイであって、Ｎは、複数の整数である、ピクセルアレイと、
並列に構成され、且つ、ピクセル読出し信号のアナログ−デジタル変換を実行する能力をそれぞれが有するＭ個のＡＤＣレーンであって、Ｍは、Ｎ未満の複数の整数である、ＡＤＣレーンと、
出力ラインを前記Ｍ個のＡＤＣレーンに対して選択的に接続する能力を有するスイッチング構成と、
前記ピクセルのランダムアクセスアドレス指定を提供するように、且つ、これと同期した状態において、前記ピクセルの前記ランダムアクセスアドレス指定に従って前記スイッチング構成を制御して、前記アドレス指定されたピクセルがピクセル読出し信号を供給する前記出力ラインを、選択されたＡＤＣレーンに対して接続するように構成された制御ユニットと、
を有し、
それぞれのＡＤＣレーンは、動作のための準備が完了した状態にあるかどうかを示す状態信号を前記制御ユニットに供給するように構成されており、且つ、前記制御ユニットは、前記状態信号に応答して、前記アドレス指定されたピクセルがピクセル読出し信号を供給する前記出力ラインを、動作のための準備が完了していると前記状態信号によって示されるＡＤＣレーンに対して接続するべく、前記スイッチング構成を制御するように構成されている、アクティブピクセル画像センサ。
【請求項２】
前記制御ユニットは、異なるレートにおいて前記画像センサの異なるピクセルのランダムアクセスアドレス指定を提供する能力を有する請求項１に記載のアクティブピクセル画像センサ。
【請求項３】
前記制御ユニットは、
前記ピクセルのランダムアクセスアドレス指定を提供するように構成されたピクセルアドレス指定ユニットと、
前記スイッチング構成の前記制御を実行するように構成されたＡＤＣアドレス指定ユニットであって、前記ピクセルアドレス指定ユニット及び前記ＡＤＣアドレス指定ユニットは、同期した状態において動作するように構成されている、ＡＤＣアドレス指定ユニットと、
を有する請求項１又は２に記載のアクティブピクセル画像センサ。
【請求項４】
前記ピクセルアドレス指定ユニットは、
ピクセルのランダムアクセスピクセルアドレスを提供するように構成されたピクセルアドレス生成器と、
前記ピクセルアドレス生成器によって生成された前記ピクセルアドレスを受け取り、且つ、前記受け取ったピクセルアドレスに従って、ピクセルをアドレス指定するために、前記ピクセルアレイの制御ライン上において制御信号を供給するように構成されたデコーダ構成と、
を有する請求項３に記載のアクティブピクセル画像センサ。
【請求項５】
前記ＡＤＣレーンのそれぞれは、
複数のアナログ−デジタルコンバータと、
前記ＡＤＣレーンに供給される前記ピクセル読出し信号を連続的に前記ＡＤＣレーンの前記複数のアナログ−デジタルコンバータに対して多重化するように構成されたマルチプレクサと、
を有する請求項１から４のいずれか１項に記載のアクティブピクセル画像センサ。
【請求項６】
前記ＡＤＣレーンのそれぞれは、前記ＡＤＣレーンの前記複数のアナログ−デジタルコンバータの動作を監視すると共に前記監視される動作に基づいて前記マルチプレクサを制御するように構成された負荷分散器を更に有する請求項５に記載のアクティブピクセル画像センサ。
【請求項７】
前記スイッチング構成は、前記Ｎ個の出力ラインのうちのいずれかを前記Ｍ個のＡＤＣレーンのうちのいずれかに対して選択的に接続する能力を有する請求項１から６のいずれか１項に記載のアクティブピクセル画像センサ。
【請求項８】
前記制御ユニットは、前記アドレス指定されたピクセルがピクセル読出し信号を供給する前記出力ラインを、選択されたＡＤＣレーンに対して連続的に接続するべく、前記ピクセルの前記ランダムアクセスアドレス指定に従って前記スイッチング構成を制御するように構成されている請求項１から７のいずれか１項に記載のアクティブピクセル画像センサ。
【請求項９】
前記ピクセルアレイは、ランダムアクセス方式によって前記ピクセルアレイのピクセルのアドレス指定を提供する能力を有している制御ラインを有する請求項１から８のいずれか１項に記載のアクティブピクセル画像センサ。
【請求項１０】
前記制御ラインは、前記ピクセルをリセットする能力を有するリセット制御ラインと、前記ピクセル読出し信号を供給するように前記ピクセルを制御する能力を有する読出し制御ラインと、を有する請求項９に記載のアクティブピクセル画像センサ。
【請求項１１】
前記制御ラインは、マトリックスアドレス指定構成を有する請求項９又は１０に記載のアクティブピクセル画像センサ。
【請求項１２】
前記ピクセルは、ＣＭＯＳ構造を有する請求項１から１１のいずれか１項に記載のアクティブピクセル画像センサ。
【請求項１３】
半導体チップ内において実装された請求項１から１２のいずれか１項に記載のアクティブピクセル画像センサ。
【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
第１のモビリティアクセスゲートウェイの障害をハンドリングするための方法であって、前記方法は、前記第１のモビリティアクセスゲートウェイに関連付けられるユーザ機器について責任を有するローカルモビリティアンカにおいて実行され、
前記第１のモビリティアクセスゲートウェイの障害を検出するステップと、
前記ユーザ機器のためのダウンリンクデータを受信する際に、前記第１のモビリティアクセスゲートウェイにより前記ユーザ機器が障害条件においてサービスされていると判定するステップと、
選択される第２のモビリティアクセスゲートウェイを通じて前記ローカルモビリティアンカとの前記ユーザ機器の接続を復旧させる指示を含む通知メッセージを、選択される前記第２のモビリティアクセスゲートウェイに向けて送信するステップと、
を含む方法。
【請求項２】
前記障害を検出する前記ステップは、ネットワークノードのリスタートを検出することを含む、請求項１の方法。
【請求項３】
前記ユーザ機器は、前記通知メッセージにおいてアクセスネットワーク固有のアドレスにより識別される、請求項１の方法。
【請求項４】
前記アクセスネットワーク固有のアドレスは、ＩＭＳＩ（International  Mobile  Subscriber  Identity）である、請求項３の方法。
【請求項５】
前記アクセスネットワーク固有のアドレスは、ＭＳＩＳＤＮ（Mobile  Station  International  Subscriber  Directory  Number）である、請求項３の方法。
【請求項６】
送信する前記ステップは、前記通知メッセージを選択される前記第２のモビリティアクセスゲートウェイへ送信すること、をポリシー課金及びルール機能（ＰＣＲＦ）に指示するリクエスト、を前記ＰＣＲＦへ送ることを含む、請求項１の方法。
【請求項７】
前記通知メッセージを選択される前記第２のモビリティアクセスゲートウェイに向けて送信する前記ステップは、前記第１のモビリティアクセスゲートウェイの前記障害の検出に続いて行われ、前記通知メッセージは、前記第１のモビリティアクセスゲートウェイへ接続している１つ以上のユーザ機器のアクセスネットワーク固有のアドレスを含む、請求項１の方法。
【請求項８】
第１のモビリティアクセスゲートウェイの障害をハンドリングするためのローカルモビリティアンカであって、
前記第１のモビリティアクセスゲートウェイにユーザ機器を関連付けるバインディングを記憶するためのユーザ機器バインディングストレージと、
モビリティアクセスゲートウェイへメッセージを送信し及びモビリティアクセスゲートウェイからメッセージを受信するためのネットワークインタフェースと、
前記第１のモビリティアクセスゲートウェイの障害を検出し、及び、前記ユーザ機器のためのダウンリンクデータを受信する際に、記憶される前記バインディングの検査を通じて前記第１のモビリティアクセスゲートウェイに関連付けられている前記ユーザ機器を識別する再アタッチエンジンと、
を備え、
前記再アタッチエンジンは、前記第１のモビリティアクセスゲートウェイに障害が起きていると判定し、選択される第２のモビリティアクセスゲートウェイに前記ローカルモビリティアンカとの前記ユーザ機器の接続を復旧させることを指示する通知メッセージを、前記ネットワークインタフェースを介して、選択される前記第２のモビリティアクセスゲートウェイに向けて送信する、
ローカルモビリティアンカ。
【請求項９】
前記ユーザ機器は、前記通知メッセージにおいてアクセスネットワーク固有のアドレスにより識別される、請求項８のローカルモビリティアンカ。
【請求項１０】
前記アクセスネットワーク固有のアドレスは、ＩＭＳＩ（International  Mobile  Subscriber  Identity）である、請求項９のローカルモビリティアンカ。
【請求項１１】
前記アクセスネットワーク固有のアドレスは、ＭＳＩＳＤＮ（Mobile  Station  International  Subscriber  Directory  Number）である、請求項９のローカルモビリティアンカ。
【請求項１２】
前記再アタッチエンジンは、前記通知メッセージの送信を、前記ローカルモビリティアンカのために前記通知メッセージを選択される前記第２のモビリティアクセスゲートウェイへ送信すること、をポリシー課金及びルール機能（ＰＣＲＦ）に指示するリクエストを前記ＰＣＲＦへ送ることにより実行する、請求項８のローカルモビリティアンカ。
【請求項１３】
前記再アタッチエンジンは、前記第１のモビリティアクセスゲートウェイの前記障害の検出に続いて、前記ネットワークインタフェースを介して前記通知メッセージを選択される前記第２のモビリティアクセスゲートウェイに向けて送信し、前記通知メッセージは、前記第１のモビリティアクセスゲートウェイへ接続している１つ以上のユーザ機器のアクセスネットワーク固有のアドレスを含む、請求項８のローカルモビリティアンカ。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
無線通信システムにおける受信機がデータを受信する方法であって、
複数のリソース要素（ＲＥ）マッピングパラメータを含む構成情報を受信するステップと、
物理ダウンリンク制御チャンネル（ＰＤＣＣＨ）で前記複数のＲＥマッピングパラメータのうち一つを識別する制御情報を受信するステップと、
前記複数のＲＥマッピングパラメータのうち識別された一つのＲＥマッピングパラメータに基づいて、物理ダウンリンク共有チャンネル（ＰＤＳＣＨ）でデータを受信するステップとを含み、
ここで、前記ＲＥマッピングパラメータは、サブフレーム内でＰＤＳＣＨ開始位置シンボルを含むことを特徴とするデータ受信方法。
【請求項２】
前記ＲＥマッピングパラメータは、
セル特定基準信号（ＣＲＳ）リソース要素の位置に関する情報を含むことを特徴とする請求項１に記載の方法。
【請求項３】
前記制御情報は、Ｃ−ＲＮＴＩによりスクランブリングされたサイクリックリダンダンシーチェック(ＣＲＣ)を有する制御メッセージを含むことを特徴とする請求項１に記載の方法。
【請求項４】
前記制御情報は、２ビットであることを特徴とする請求項１に記載の方法。
【請求項５】
前記構成情報は、上位階層シグナリングにより受信されることを特徴とする請求項１に記載の方法。
【請求項６】
無線通信システムにおける送信機がデータを送信する方法であって、
複数のリソース要素（ＲＥ）マッピングパラメータを含む構成情報を送信するステップと、
前記送信された制御情報によって、物理ダウンリンク制御チャンネル（ＰＤＣＣＨ）で前記複数のＲＥマッピングパラメータのうち一つを識別する制御情報を送信するステップと、
前記複数のＲＥマッピングパラメータのうち識別された一つのＲＥマッピングパラメータに基づいて、物理ダウンリンク共有チャンネル（ＰＤＳＣＨ）でデータを送信するステップと、を含み、
ここで、前記ＲＥマッピングパラメータは、サブフレーム内でＰＤＳＣＨ開始位置シンボルを含むことを特徴とするデータ送信方法。
【請求項７】
前記ＲＥマッピングパラメータは、セル特定基準信号（ＣＲＳ）リソース要素の位置に関する情報を含むことを特徴とする請求項６に記載の方法。
【請求項８】
前記制御情報は、Ｃ−ＲＮＴＩによりスクランブリングされたＣＲＣを有する制御メッセージを含むことを特徴とする請求項６に記載の方法。
【請求項９】
前記制御情報は、２ビットであることを特徴とする請求項６に記載の方法。
【請求項１０】
前記構成情報は、上位階層シグナリングにより送信されることを特徴とする請求項６に記載の方法。
【請求項１１】
無線通信システムにおける受信機であって、
複数のリソース要素（ＲＥ）マッピングパラメータを含む構成情報と、物理ダウンリンク制御チャンネル（ＰＤＣＣＨ）で前記複数のＲＥマッピングパラメータのうち一つを識別する制御情報を受信し、前記複数のＲＥマッピングパラメータのうち識別された一つのＲＥマッピングパラメータに基づいて、物理ダウンリンク制御チャンネル（ＰＤＣＣＨ）でデータを受信する受信部と、
前記受信された制御情報に基づいて、物理ダウンリンク制御チャンネル（ＰＤＣＣＨ）で前記複数のＲＥマッピングパラメータのうち一つのＲＥマッピングパラメータを決定する制御部と、を含み、
ここで、前記ＲＥマッピングパラメータは、サブフレーム内でＰＤＳＣＨ開始位置シンボルを含むことを特徴とする受信機。
【請求項１２】
前記ＲＥマッピングパラメータは、セル特定基準信号（ＣＲＳ）リソース要素の位置に関する情報を含むことを特徴とする請求項１１に記載の受信機。
【請求項１３】
前記制御情報は、Ｃ−ＲＮＴＩによりスクランブリングされたサイクリックリダンダンシーチェック(ＣＲＣ)を有する制御メッセージを含むことを特徴とする請求項１１に記載の受信機。
【請求項１４】
前記制御情報は、２ビットであることを特徴とする請求項１１に記載の受信機。
【請求項１５】
前記構成情報は、上位階層シグナリングにより受信されることを特徴とする請求項１１に記載の受信機。
【請求項１６】
無線通信システムにおける送信機であって、
複数のリソース要素（ＲＥ）マッピングパラメータを含む構成情報と、物理ダウンリンク制御チャンネル（ＰＤＣＣＨ）で前記複数のＲＥマッピングパラメータのうち一つを識別する制御情報を送信し、前記複数のＲＥマッピングパラメータのうち識別された一つのＲＥマッピングパラメータに基づいて、物理ダウンリンク共有チャンネル（ＰＤＳＣＨ）でデータを送信する送信部と、
前記送信された制御情報に基づいて、前記ＰＤＣＣＨで前記複数のＲＥマッピングパラメータのうち一つを決定する制御部と、を含み、
ここで、前記ＲＥマッピングパラメータは、サブフレーム内でＰＤＳＣＨ開始位置シンボルを含むことを特徴とする送信機。
【請求項１７】
前記ＲＥマッピングパラメータは、セル特定基準信号（ＣＲＳ）リソース要素の位置に関する情報を含むことを特徴とする請求項１６に記載の送信機。
【請求項１８】
前記制御情報は、Ｃ−ＲＮＴＩによりスクランブリングされたサイクリックリダンダンシーチェック(ＣＲＣ)を有する制御メッセージを含むことを特徴とする請求項１６に記載の送信機。
【請求項１９】
前記制御情報は、２ビットであることを特徴とする請求項１６に記載の送信機。
【請求項２０】
前記構成情報は、上位階層シグナリングにより受信されることを特徴とする請求項１６に記載の送信機。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
送信器におけるコンテンツを送信する方法であって、
少なくとも一つのファイルをパッケージで識別するステップを有し、
前記パッケージは、少なくとも一つのアセットを含み、
前記少なくとも一つのアセットは、少なくとも一つのメディアプロセッシングユニット（ＭＰＵ）を含み、
前記少なくとも一つのＭＰＵは、少なくとも一つのメディアフラグメントユニット（ＭＦＵ）を含み、
前記少なくとも一つのファイルの各メディアサンプルは、少なくとも一つのＭＦＵにマッピングされることを特徴とするコンテンツを送信する方法。
【請求項２】
前記少なくとも一つのアセットのうちの一つのアセットは、一つのトラックにマッピングされ、一つのアセットを構成するＭＰＵは、チャンク及びランのうちの一つにマッピングされ、かつ前記ＭＰＵを構成する一つのアクセスユニットは、一つのサンプルにマッピングされることを特徴とする請求項１に記載のコンテンツを送信する方法。
【請求項３】
前記パッケージは、コンフィグレーション情報、コンポジション情報（ＣＩ）、及びトランスポート特性のうちの少なくとも一つを含むことを特徴とする請求項１に記載のコンテンツを送信する方法。
【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
脳内Ａβ疾患を有するかまたは発症する素因がある対象の末梢組織におけるＡβの産生を調節するための薬物の製造における、イマチニブと比較して低減されたタンパク質キナーゼ阻害を呈するイマチニブ誘導体の使用であって、
前記イマチニブ誘導体は、イマチニブパラジアミノメチルベンゼン、または、薬学的に許容されるイマチニブパラジアミノメチルベンゼンの塩を含んでいる、イマチニブ誘導体の使用。
【請求項２】
前記脳内Ａβ疾患が、アルツハイマー病である、請求項１に記載の使用。
【請求項３】
前記調節が、前記末梢組織におけるＡβの産生を減少させることを含む、請求項１に記載の使用。
【請求項４】
前記末梢組織が、肝臓である、請求項１に記載の使用。
【請求項５】
前記イマチニブパラジアミノメチルベンゼンが、メシル酸塩の形態である、請求項１に記載の使用。
【請求項６】
前記薬物が、脳内Ａβ関連疾患を治療する、寛解させる、またはそのリスクもしくは重症度を低下させるための既知の治療薬をさらに含む、請求項１に記載の使用。
【請求項７】
前記既知の治療薬が、イマチニブ、カンナビノイド、ジメボン（ｄｉｍｅｂｏｍ）、プレドニゾン、イブプロフェン、ナプロキセン（ｎａｐｒｏｘｙｎ）、インドメタシン、スタチン、選択的エストロゲン受容体分子、降圧剤、α遮断薬、β遮断薬、αβ遮断薬、アンジオテンシン変換酵素阻害剤、アンジオテンシン受容体遮断薬、カルシウムチャネル遮断薬、利尿薬、ＮＳＡＩＤＳ、および抗酸化剤からなる群から選択される、請求項６に記載の使用。
【請求項８】
前記薬物が、経口投与に適するように形成されている請求項１に記載の使用。
【請求項９】
イマチニブパラジアミノメチルベンゼンまたはその薬学的に許容される塩、および薬学的に許容される賦形剤を含む、組成物。
【請求項１０】
前記組成物が、脳内Ａβ関連疾患を治療する、寛解させる、またはそのリスクもしくは重症度を低下させるための既知の治療薬をさらに含む、請求項９に記載の組成物。
【請求項１１】
前記既知の治療薬が、イマチニブ、カンナビノイド、ジメボン、プレドニゾン、イブプロフェン、ナプロキセン、インドメタシン、スタチン、選択的エストロゲン受容体分子、降圧剤、α遮断薬、β遮断薬、αβ遮断薬、アンジオテンシン変換酵素阻害剤、アンジオテンシン受容体遮断薬、カルシウムチャネル遮断薬、利尿薬、ＮＳＡＩＤＳ、および抗酸化剤からなる群から選択される、請求項１０に記載の組成物。
【請求項１２】
前記組成物が、経口投与用に構成される、請求項９〜１１のいずれか１項に記載の組成物。
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
赤血球試料を処理する方法であって、赤血球試料中に存在する細胞外二価鉄ヘモグロビンの少なくとも一部分を三価鉄ヘモグロビンに変換させるのに十分な量の一酸化窒素または一酸化窒素放出性化合物と、赤血球試料をエクスビボで接触させる段階を含む、方法。
【請求項２】
赤血球試料が、一酸化窒素または一酸化窒素放出性化合物と接触させられる前に、血液透析、術中血液回収、または開心術吸引回路（cardiotomy suction）にエクスビボでさらされている、請求項1記載の方法。
【請求項３】
赤血球試料が、一酸化窒素または一酸化窒素放出性化合物と接触させられる前に、ポンプ、膜、および／または気泡のうちの1つまたは複数にエクスビボでさらされている、請求項1記載の方法。
【請求項４】
赤血球試料が、ドナーから取り出された後で、かつ一酸化窒素または一酸化窒素放出性化合物と接触させられる前に、少なくとも24時間エクスビボで保存されている、請求項1記載の方法。
【請求項５】
赤血球試料が、ドナーから取り出された後で、かつ一酸化窒素または一酸化窒素放出性化合物と接触させられる前に、少なくとも7日間エクスビボで保存されている、請求項1記載の方法。
【請求項６】
赤血球試料が、ドナーから取り出された後で、かつ一酸化窒素または一酸化窒素放出性化合物と接触させられる前に、少なくとも14日間エクスビボで保存されている、請求項1記載の方法。
【請求項７】
赤血球試料が、ドナーから取り出された後で、かつ一酸化窒素または一酸化窒素放出性化合物と接触させられる前に、少なくとも28日間エクスビボで保存されている、請求項1記載の方法。
【請求項８】
赤血球試料が、ドナーから取り出された後で、かつ一酸化窒素または一酸化窒素放出性化合物と接触させられる前に、少なくとも42日間エクスビボで保存されている、請求項1記載の方法。
【請求項９】
赤血球試料中に存在する細胞外二価鉄ヘモグロビンの少なくとも20％が三価鉄ヘモグロビンに変換される、請求項1〜8のいずれか一項記載の方法。
【請求項１０】
赤血球試料中に存在する細胞外二価鉄ヘモグロビンの少なくとも50％が三価鉄ヘモグロビンに変換される、請求項1〜8のいずれか一項記載の方法。
【請求項１１】
赤血球試料中に存在する細胞外二価鉄ヘモグロビンの少なくとも80％が三価鉄ヘモグロビンに変換される、請求項1〜8のいずれか一項記載の方法。
【請求項１２】
ガス状一酸化窒素を含む治療用ガスに赤血球試料を接触させる、請求項1〜11のいずれか一項記載の方法。
【請求項１３】
治療用ガス中のガス状一酸化窒素の濃度が少なくとも20ppmである、請求項12記載の方法。
【請求項１４】
治療用ガス中のガス状一酸化窒素の濃度が少なくとも40ppmである、請求項12記載の方法。
【請求項１５】
治療用ガス中のガス状一酸化窒素の濃度が少なくとも80ppmである、請求項12記載の方法。
【請求項１６】
治療用ガス中のガス状一酸化窒素の濃度が100ppm〜800ppmの範囲にある、請求項12記載の方法。
【請求項１７】
治療用ガス中のガス状一酸化窒素の濃度が40ppm〜200ppmの範囲にある、請求項12記載の方法。
【請求項１８】
治療用ガス中のガス状一酸化窒素の濃度が40ppm〜3,000ppmの範囲にある、請求項12記載の方法。
【請求項１９】
赤血球試料を治療用ガスと5秒間未満接触させる、請求項12〜18のいずれか一項記載の方法。
【請求項２０】
赤血球試料を治療用ガスと少なくとも15分間接触させる、請求項12〜18のいずれか一項記載の方法。
【請求項２１】
赤血球試料を治療用ガスと少なくとも1時間接触させる、請求項12〜18のいずれか一項記載の方法。
【請求項２２】
赤血球試料を治療用ガスと少なくとも2時間接触させる、請求項12〜18のいずれか一項記載の方法。
【請求項２３】
赤血球試料を一酸化窒素放出性化合物と接触させる、請求項1〜11のいずれか一項記載の方法。
【請求項２４】
一酸化窒素放出性化合物が亜硝酸塩を含む、請求項23記載の方法。
【請求項２５】
一酸化窒素放出性化合物が超短時間作用性の一酸化窒素放出性化合物である、請求項23記載の方法。
【請求項２６】
超短時間作用性の一酸化窒素放出性化合物が、1-[2-(カルボキシラト)ピロリジン-1-イル]ジアゼン-1-イウム-1,2-ジオレートまたは(Z)-1-[N-メチル-N-[6-(N-メチルアンモニオヘキシル)アミノ]]ジアゼン-1-イウム-1,2-ジオレートである、請求項25記載の方法。
【請求項２７】
無菌条件下で行われる、請求項1〜26のいずれか一項記載の方法。
【請求項２８】
赤血球の投与後の哺乳動物における血管収縮を予防または軽減するための組成物であって、一酸化窒素または一酸化窒素放出性化合物によるエクスビボの処理によって赤血球試料中に存在する細胞外二価鉄ヘモグロビンの少なくとも一部分が三価鉄ヘモグロビンに変換された赤血球試料を含む、組成物。
【請求項２９】
赤血球試料が自己赤血球を含む、請求項28記載の組成物。
【請求項３０】
赤血球試料が同種赤血球を含む、請求項28記載の組成物。
【請求項３１】
赤血球試料が、一酸化窒素または一酸化窒素放出性化合物による処理の前に凍結および解凍されている、請求項28〜30のいずれか一項記載の組成物。
【請求項３２】
前記処理が、
赤血球試料が、赤血球試料を含む容器から流れ出て、一酸化窒素の供給源と接続されていて赤血球試料を一酸化窒素に曝露させるガス透過性材料と接触し、かつ一酸化窒素への曝露後に哺乳動物へと送達される、インライン注入システム
を用いて行われる、請求項28〜31のいずれか一項記載の組成物。
【請求項３３】
一酸化窒素の供給源が、圧縮された一酸化窒素ガスを含むタンクである、請求項32記載の組成物。
【請求項３４】
一酸化窒素の供給源が電気的一酸化窒素発生装置である、請求項32記載の組成物。
【請求項３５】
哺乳動物がヒトである、請求項28〜34のいずれか一項記載の組成物。
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
当該組成物を摂取する個人の腸管内菌叢中のコリオバクテリウム科の比率を減少させるか又はベイヨネラ科若しくはフィーカリバクテリウム属の比率を増加させる使用のための組成物であって、
前記組成物はポリデキストロース又は水溶性トウモロコシ繊維を含む組成物。
【請求項２】
前記組成物は、１日当たり少なくとも１回消費されるように処方される請求項１記載の使用のための組成物。
【請求項３】
前記組成物は、１日当たり３回消費されるように処方される請求項１記載の使用のための組成物。
【請求項４】
前記組成物は、約１０％ないし約４０％のポリデキストロース又は水溶性トウモロコシ繊維を含む請求項１記載の使用のための組成物。
【請求項５】
前記組成物は、食品、飲料、医薬品又は栄養補助食品を含む請求項１記載の使用のための組成物。
【請求項６】
前記組成物は、シリアル又はスナックバーを含む請求項５記載の使用のための組成物。
【請求項７】
前記シリアル又はスナックバーは、水溶性トウモロコシ繊維を含む請求項６記載の使用のための組成物。
【請求項８】
前記コリオバクテリウム科の比率が、約４９ないし約８７％減少する請求項１記載の使用のための組成物。
【請求項９】
前記ベイヨネラ科の比率が、約５０ないし約１５０％増加する請求項１記載の使用のための組成物。
【請求項１０】
前記フィーカリバクテリウム属の比率が、約５０ないし約１００％増加する請求項１記載の使用のための組成物。
【請求項１１】
前記フィーカリバクテリウム属は、Ｆ．プラウスニッツィイを含む請求項１記載の使用のための組成物。
【請求項１２】
前記組成物は、そのような組成物を摂取する個人の腸管内菌叢中のコリオバクテリウム科の比率を減少させ且つベイヨネラ科及びフィーカリバクテリウム属の比率を増加させる請求項１記載の使用のための組成物。
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
自閉症または一以上の自閉症スペクトラム障害を処置するのに用いるために、スルホラファン、スルホラファン誘導体、ジトカルバマート代謝産物、スルホラファンのアナログ、またはそれらの一以上の組合せが含まれる、製薬上組成物。
【請求項２】
自閉症または一以上の自閉症スペクトラム障害を処置するのに用いるために、対象体の少なくとも一つの細胞において一般的細胞ストレス反応を誘導するスルホラファン、スルホラファン誘導体、ジトカルバマート代謝産物、スルホラファンのアナログ、またはそれらの一以上の組合せが含まれる組成物であって、
自閉症または一以上の自閉症スペクトラム障害と判断される対象体に対し、組成物は有効量で投与され、および
対象体の細胞は次いで、組成物を投与されるのに先立ち細胞において存在した状態と実質同等の恒常性に戻ることができるようにされる、組成物。
【請求項３】
対象体の少なくとも一つの細胞において、ストレスプロテオームが刺激され、および／または増加した亜酸化窒素産生が検出され、および／またはストレス感知オルガネラが組成物の投与の前の量より増加する、請求項２に記載の組成物。
【請求項４】
ストレス感知オルガネラは、ミトロコンドリアまたはペルオキシソームである、請求項３に記載の組成物。
【請求項５】
一般的細胞ストレス反応には、ミトコンドリアバイオジェネシス、ペルオキシソーム増殖、ストレスプロテオームの活性化や、遺伝子、および熱ショックおよびアンフォールデッドタンパク質が包含される遺伝子、およびオートファジー反応のための遺伝子、抗酸化反応のための遺伝子、およびc-jun-N-末端キナーゼ経路のための遺伝子によってコードされるタンパク質の転写および/または翻訳のうちの少なくとも一つが含まれる、請求項２に記載の組成物。
【請求項６】
熱ショックタンパク質のための遺伝子には、熱ショックタンパク質40、70、および/または90ファミリーのメンバーが含まれ、アンフォールデッドタンパク質遺伝子には、グルコース調節タンパク質78（BIP）、プロテインキナーゼRNA-様小胞体キナーゼ（PERK）、イノシトール要求性1（IRE1）および活性化転写因子6が含まれ、オートファジー反応遺伝子には、ベクリン-1（BCN1）、オートファジータンパク質5（ATG5）および微小管-関連タンパク質1軽鎖3（LC3またはAPG8）が含まれ、および抗酸化反応遺伝子には、核因子赤血球系2-様2（NFE2L2）、ヘムオキシゲナーゼ1（HMOX1）およびスーパーオキシドジスムターゼ2（SOD2）の発現が含まれる、請求項５に記載の組成物。
【請求項７】
組成物には、ヒストンデアセチラーゼインヒビター、クラスIヒストンデアセチラーゼインヒビター、またはクラスIIヒストンデアセチラーゼインヒビターの少なくとも一つが含まれる、請求項１または２に記載の組成物。
【請求項８】
組成物には、次の式
【化１−１】
2014532703.tif 000001
【化１−２】
2014532703.tif 000002
によって表される構造として存在する化合物またはそのサブグループまたは製薬上許容可能な塩が含まれる、請求項１または２に記載の組成物。
【請求項９】
組成物は、製薬上組成物、メディカルフード、食物、飲料、またはダイエタリーサプリメントである、請求項１または２に記載の組成物。
【請求項１０】
自閉症または一以上の自閉症関連障害の処置における化合物の有効性を定めるための方法であって、
第一胞をテスト化合物の有効量と接触させること、
第一細胞の反応を、スルホラファン、スルホラファン誘導体、ジトカルバマート代謝産物、スルホラファンのアナログ、またはそれらの一以上の組合せと接触させた第二の、随意に同一の細胞の反応と比較すること、および
テスト化合物が細胞において一般的細胞ストレス反応を誘導するかどうかを定めること
が含まれる、方法。
【請求項１１】
細胞は、正常ヒト線維芽細胞、XALD線維芽細胞、またはK562細胞である、請求項１０に記載の方法。
【請求項１２】
接触はインビトロまたはインビボで起こる、請求項１０に記載の方法。
【請求項１３】
自閉症または一以上の自閉症スペクトラム障害を処置するのに用いるために対象体の少なくとも一つの細胞において一般的細胞ストレス反応を誘導するグルコシノラートまたはイソチオシアナートが含まれる、組成物。
【請求項１４】
組成物には、グルコシノラート、および対象体による消費の際グルコシノラートをイソチオシアナートに変換する酵素が含まれる、請求項１３に記載の組成物。
【請求項１５】
グルコシノラートはグルコラファニンであり、および酵素はミロシナーゼである、請求項１３に記載の組成物。
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
非小細胞肺癌を有する対象を治療するための医薬組成物であって、5-アザシチジン又はその医薬として許容し得る溶媒和物、若しくは水和物を含み、経口投与用に製剤化されており、かつ白金剤を含む追加の治療剤の少なくとも1つと組み合わせて投与される、前記医薬組成物。
【請求項２】
前記非小細胞肺癌が、再発性又は難治性の非小細胞肺癌である、請求項１記載の医薬組成物。
【請求項３】
前記追加の治療剤がカルボプラチンである、請求項１又は２記載の医薬組成物。
【請求項４】
(i)前記5-アザシチジンを前記対象に1、2、3、4、5、6、7、8、9、10、11、12、13、14、15、16、17、18、19、20、又は21日間投与し;かつ
(ii)前記追加の治療剤を該対象に1日以上投与するため
に製剤化されている、請求項１〜３のいずれか一項記載の医薬組成物。
【請求項５】
前記追加の治療剤が、非経口投与される、請求項４記載の医薬組成物。
【請求項６】
前記追加の治療剤が、経口投与される、請求項４記載の医薬組成物。
【請求項７】
(i)前記5-アザシチジンを前記対象に1、2、3、4、5、6、7、8、9、10、11、12、13、14、15、16、17、18、19、20、又は21日間投与し;
(ii)前記追加の治療剤を該対象に1日以上投与し;かつ
(iii)該5-アザシチジンを、1、2、3、4、5、6、7、8、9、10、11、12、13、又は14日間経口投与するため
に製剤化されている、請求項４〜６のいずれか一項記載の医薬組成物。
【請求項８】
(i)前記5-アザシチジンを前記対象に7日間投与し;
(ii)前記追加の治療剤を該対象に1日間投与し;
(iii)該5-アザシチジンを該対象に6日間投与し;かつ
(iv)7日間の休薬期間の後、工程(i)〜(iii)を繰り返すため
に製剤化されている、請求項４〜６のいずれか一項記載の医薬組成物。
【請求項９】
(i)前記5-アザシチジンを前記対象に7日間投与し;
(ii)該5-アザシチジン及び前記追加の治療剤を該対象に1日間投与し;
(iii)該5-アザシチジンを該対象に6日間投与し;かつ
(iv)7日間の休薬期間の後、工程(i)〜(iii)を繰り返すため
に製剤化されている、請求項４〜６のいずれか一項記載の医薬組成物。
【請求項１０】
(i)前記5-アザシチジンを前記対象に7日間投与し;
(ii)該5-アザシチジン及び前記追加の治療剤を該対象に1日間投与し;
(iii)該5-アザシチジンを該対象に6日間投与し;
(iv)該追加の治療剤を該対象に1日間投与し;かつ
(v)6日間の休薬期間の後、工程(i)〜(iv)を繰り返すため
に製剤化されている、請求項４〜６のいずれか一項記載の医薬組成物。
【請求項１１】
(i)前記5-アザシチジンを前記対象に7日間投与し;
(ii)該5-アザシチジン及び前記追加の治療剤を該対象に1日間投与し;
(iii)該5-アザシチジンを該対象に6日間投与し;
(iv)該追加の治療剤を該対象に1日間投与し;
(v)6日間の休薬期間の後、該5-アザシチジン及び該追加の治療剤を該対象に1日間投与し;
(vi)該5-アザシチジンを該対象に6日間投与し;かつ
(vii)工程(ii)〜(vi)を繰り返すため
に製剤化されている、請求項４〜６のいずれか一項記載の医薬組成物。
【請求項１２】
前記追加の治療剤を前記対象に投与する前に、前記5-アザシチジンを該対象に、少なくとも1日、少なくとも2日、少なくとも3日、少なくとも4日、少なくとも5日、少なくとも6日、又は少なくとも7日間投与するために製剤化されている、請求項１〜３のいずれか一項記載の医薬組成物。
【請求項１３】
前記追加の治療剤が、1日以上の間、非経口投与される、請求項１２記載の医薬組成物。
【請求項１４】
前記追加の治療剤が、1日以上の間、経口投与される、請求項１２記載の医薬組成物。
【請求項１５】
前記5-アザシチジンを含む医薬組成物が、錠剤である、請求項１〜１４のいずれか一項記載の医薬組成物。
【請求項１６】
前記5-アザシチジンを含む医薬組成物が、カプセル剤である、請求項１〜１４のいずれか一項記載の医薬組成物。
【請求項１７】
100mg、200mg、300mg、400mg、500mg、又は600mgの5-アザシチジンを含む、請求項１〜１６のいずれか一項記載の医薬組成物。
【請求項１８】
200mgの5-アザシチジンを含む、請求項１７記載の医薬組成物。
【請求項１９】
300mgの5-アザシチジンを含む、請求項１７記載の医薬組成物。
【請求項２０】
前記対象がヒトである、請求項１〜１９のいずれか一項記載の医薬組成物。
【請求項２１】
(i)前記5-アザシチジン及び前記追加の治療剤を前記対象に1日間投与し;
(ii)該5-アザシチジンを該対象に13日間投与し;かつ
(iii)7日間の休薬期間の後、工程(i)及び(ii)を繰り返すため
に製剤化されている、請求項４〜６のいずれか一項記載の医薬組成物。
【請求項２２】
(i)前記5-アザシチジン及び前記追加の治療剤を前記対象に1日間投与し;
(ii)該5-アザシチジンを該対象に20日間投与し;かつ
(iii)工程(i)及び(ii)を繰り返すため
に製剤化されている、請求項４〜６のいずれか一項記載の医薬組成物。
【請求項２３】
(i)前記5-アザシチジン及び前記追加の治療剤を前記対象に1日間投与し;
(ii)該5-アザシチジンを該対象に6日間投与し;
(iii)該5-アザシチジン及び該追加の治療剤を該対象に1日間投与し;
(iv)該5-アザシチジンを該対象に6日間投与し;かつ
(v)7日間の休薬期間の後、工程(i)〜(iv)を繰り返すため
に製剤化されている、請求項４〜６のいずれか一項記載の医薬組成物。
【請求項２４】
(i)前記5-アザシチジン及び前記追加の治療剤を前記対象に1日間投与し;
(ii)該5-アザシチジンを該対象に6日間投与し;
(iii)該5-アザシチジン及び該追加の治療剤を該対象に1日間投与し;
(iv)該5-アザシチジンを該対象に13日間投与し;かつ
(v)工程(i)〜(iv)を繰り返すため
に製剤化されている、請求項４〜６のいずれか一項記載の医薬組成物。
【手続補正書】
【提出日】平成26年11月7日(2014.11.7)
【手続補正１】
【補正対象書類名】明細書
【補正対象項目名】発明の名称
【補正方法】変更
【補正の内容】
【発明の名称】ヒドロコロイド組成物
【手続補正２】
【補正対象書類名】明細書
【補正対象項目名】００５４
【補正方法】変更
【補正の内容】
【００５４】
（実施例１０）
実施例６で作製した１枚の貼付剤を用いた。黄色ブドウ球菌（Staphyloccocus aureus）に対する阻害ゾーン（ＺＯＩ）について、Ｄｉｓｉｎｆｅｃｔｉｏｎ  Ｔｅｃｈｎｉｃａｌ  Ｇｕｉｄｅｌｉｎｅｓ  ２００２に従って試験した。ＺＯＩの直径は４．５ｃｍであり、これは、黄色ブドウ球菌に対する強い抗菌効果を示す。
最後に、本発明の好ましい形態の一部を列挙すると、次のとおりである。
〔形態１〕
ヒドロコロイド組成物であって、前記ヒドロコロイド組成物１００重量％に基づいて、
１０〜９０重量％のポリイソブチレン粘着付与剤と、
５〜５５重量％の親水性吸収性物質と、
０．１〜２０重量％の機能性成分と、を含む、ヒドロコロイド組成物。
〔形態２〕
前記ポリイソブチレン粘着付与剤が、２００００〜１５００００の重量平均分子量及び１〜１０の多分散指数を有する、形態１に記載のヒドロコロイド組成物。
〔形態３〕
前記ヒドロコロイド組成物が、前記ヒドロコロイド組成物１００重量％に基づいて、３０〜７５重量％の前記ポリイソブチレン粘着付与剤を含む、形態１又は２に記載のヒドロコロイド組成物。
〔形態４〕
前記親水性吸収性物質が、セルロース、デンプン、合成樹脂、及びこれらの混合物からなる群から選択される、形態１に記載のヒドロコロイド組成物。
〔形態５〕
前記ヒドロコロイド組成物が、前記ヒドロコロイド組成物１００重量％に基づいて、１０〜４０重量％の前記親水性吸収性物質を含む、形態１又は４に記載のヒドロコロイド組成物。
〔形態６〕
前記機能性成分が、リモネン、ツボクサ草本、ティーツリー油、スパイクエッセンシャルオイル、水吸収剤、抗菌剤、創傷治癒剤、及びこれらの混合物からなる群から選択される、形態１に記載のヒドロコロイド組成物。
〔形態７〕
前記ヒドロコロイド組成物が、前記ヒドロコロイド組成物１００重量％に基づいて、０．１〜５０重量％の疎水性不飽和エラストマー性ホモポリマーを更に含む、形態１に記載のヒドロコロイド組成物。
〔形態８〕
前記疎水性不飽和エラストマー性ホモポリマーが、ポリイソプレン、ポリブタジエン、及びこれらの混合物からなる群から選択される、形態７に記載のヒドロコロイド組成物。
〔形態９〕
前記ヒドロコロイド組成物が、前記ヒドロコロイド組成物１００重量％に基づいて、３０〜３７重量％の疎水性不飽和エラストマー性ホモポリマーを含む、形態１、７、又は８に記載のヒドロコロイド組成物。
〔形態１０〕
前記ヒドロコロイド組成物が、前記ヒドロコロイド組成物１００重量％に基づいて、０．１〜５５重量％の樹脂粘着付与剤を更に含む、形態１に記載のヒドロコロイド組成物。
〔形態１１〕
前記樹脂粘着付与剤が、２００〜３０００の重量平均分子量及び０．５〜２０の多分散指数を有する、形態１０に記載のヒドロコロイド組成物。
〔形態１２〕
前記ヒドロコロイド組成物が、前記ヒドロコロイド組成物１００重量％に基づいて、３０〜７５重量％の樹脂粘着付与剤を含む、形態１、１０又は１１に記載のヒドロコロイド組成物。
〔形態１３〕
前記ヒドロコロイド組成物が、前記ヒドロコロイド組成物１００重量％に基づいて、０．１〜２０重量％の浸透促進剤を更に含む、形態１に記載のヒドロコロイド組成物。
〔形態１４〕
前記浸透促進剤が、ボルネオール、メントール、ピペリン、及びこれらの混合物からなる群から選択される、形態１３に記載のヒドロコロイド組成物。
〔形態１５〕
前記ヒドロコロイド組成物が、前記ヒドロコロイド組成物１００重量％に基づいて、０．５〜８重量％の前記浸透促進剤を含む、形態１、１３、又は１４に記載のヒドロコロイド組成物。
〔形態１６〕
形態１〜１５のいずれか一項に記載のヒドロコロイド組成物を含有する、物品。
〔形態１７〕
前記物品が、貼付剤の形態である、形態１６に記載の物品。
〔形態１８〕
前記貼付剤が、気分爽快貼付剤、かゆみ止め貼付剤、抗ニキビ貼付剤、超吸水性ヒドロコロイド貼付剤、抗菌貼付剤、又は創傷治癒貼付剤である、形態１７に記載の物品。
【手続補正３】
【補正対象書類名】特許請求の範囲
【補正対象項目名】全文
【補正方法】変更
【補正の内容】
【特許請求の範囲】
【請求項１】
ヒドロコロイド組成物であって、前記ヒドロコロイド組成物１００重量％に基づいて、
１０〜９０重量％のポリイソブチレン粘着付与剤と、
５〜５５重量％の親水性吸収性物質と、
０．１〜２０重量％の機能性成分と、を含む、ヒドロコロイド組成物。
【請求項２】
前記ヒドロコロイド組成物が、前記ヒドロコロイド組成物１００重量％に基づいて、３０〜７５重量％の前記ポリイソブチレン粘着付与剤を含む、請求項１に記載のヒドロコロイド組成物。
【請求項３】
前記ヒドロコロイド組成物が、前記ヒドロコロイド組成物１００重量％に基づいて、０．１〜５０重量％の疎水性不飽和エラストマー性ホモポリマーを更に含む、請求項１に記載のヒドロコロイド組成物。
【請求項４】
前記ヒドロコロイド組成物が、前記ヒドロコロイド組成物１００重量％に基づいて、０．１〜５５重量％の樹脂粘着付与剤を更に含む、請求項１に記載のヒドロコロイド組成物。